(57)【特許請求の範囲】
【請求項１】
調光電圧を生成すると共に、デューティ比制御を行う調光制御部と、駆動するＬＥＤに一端が接続されたＭＯＳトランジスタと、前記トランジスタの他端と接地間に接続される抵抗と、前記トランジスタの他端と前記抵抗との接続点の電圧と前記調光電圧との差信号を増幅して前記トランジスタの制御端に供給する差動増幅器とを具備し、前記調光制御部は、ＬＥＤ電流設定データに応じた前記デューティ比情報を作成し、前記デューティ比情報に応じて前記トランジスタの制御端への前記差動増幅器の出力電圧の供給を制御し、前記ＬＥＤ電流設定データに基づく電圧を前記差動増幅器に供給し、前記ＬＥＤ電流設定データが所定の値を上回る時、前記調光制御部は、前記ＬＥＤ電流設定データに応じた電圧を前記差動増幅器に供給すると共に前記トランジスタを常にオン状態にし、前記ＬＥＤ電流設定データが所定の値を下回る時、ＬＥＤ電流設定データに基づく電圧を前記差動増幅器に供給すると共に前記デューティ比情報に基づいて前記トランジスタの制御端への前記差動増幅器の出力電圧の供給を制御することを特徴とするＬＥＤ駆動回路。
【請求項２】
前記ＬＥＤにはチャージポンプが接続され、当該チャージポンプによって、前記ＬＥＤに供給される電圧は、所定の値に昇圧されることを特徴とする請求項１に記載のＬＥＤ駆動装置。
【請求項３】
前記調光制御部には、照度センサが付加され、前記調光制御部は、当該照度センサが検出する照度に応じた電圧を出力することを特徴とする請求項１又は請求項２に記載のＬＥＤ駆動装置。
【発明の詳細な説明】
【技術分野】
【０００１】
本発明は、白色ＬＥＤ(Light Emitting Diode)を駆動する駆動回路に関するものである。
【背景技術】
【０００２】
従来のＬＥＤ調光方式には、ＤＣ調光方式とＰＷＭ調光方式の２つの方式が知られている。
特許文献１には、ＬＥＤに一端が接続されたＭＯＳトランジスタと、このトランジスタの他端と接地間に接続された抵抗と、これらトランジスタと抵抗の接続点における電圧と輝度調整回路の出力電圧との差信号を増幅して当該トランジスタのゲートに供給する差動増幅器と、を有するＬＥＤドライバが開示されている。この輝度調整回路を用いると、ＬＥＤ電流を制御するＤＣ調光方式のＬＥＤドライバとして利用することができる。この駆動回路は、第１、第２のコンデンサを使用したｎ／ｍ電圧整流型のスイッチングによる昇圧回路を用い、さらにＭＯＳトランジスタが出力段の定電流回路を、ＬＥＤ素子と直列に配置して昇圧回路の負荷とし、ＬＥＤ素子を定電流駆動する。このことで、電磁ノイズを発生することなく、スイッチングによるｎ／ｍ電圧昇圧によって昇圧回路の出力に電圧リップルが発生しても、スイッチング周波数を高く採ることでリップル分を定電流回路側が受けてＬＥＤ素子の端子電圧をそのダイオード特性に従って実質的に一定に保持することができる。リップル分が定電流回路側で吸収されることにより、ＬＥＤ素子は、実質的に定電流、定電圧駆動され輝度ばらつきが抑えられる。
【０００３】
また、特許文献２には、照度センサの出力電圧に基づいてデューティ比を決定し、このデューティ比を有するパルス波によってＬＥＤを駆動するＰＷＭ調光方式の駆動回路が開示されている。このＬＥＤ駆動回路は、周囲の明るさに応じた照度検出電圧を一定時間毎に取り込み照度レベルを検出する照度レベル検出回路と、複数個のＰＷＭデューティ値が格納され前記照度レベル検出回路で検出された照度レベルに応じて１個のＰＷＭデューティ値が選択される輝度設定レジスタと、この輝度設定レジスタで選択された１個のＰＷＭデューティ値を取り込んでこのＰＷＭデューティ値のＰＷＭ信号を発生する輝度制御回路と、該輝度制御回路によってＬＥＤをＰＷＭ駆動するＬＥＤ駆動出力回路とを具備している。
ＤＣ調光方式の場合、ＬＥＤに印加される電圧をＶ、トランジスタと接地間の抵抗をＲとすると、ＬＥＤ電流は、Ｖ／Ｒで表わされる。ＬＥＤ電流（Ｖ／Ｒ）を低下させたい場合に、電圧Ｖを下げると、増幅器のオフセット電圧の影響から電流値にばらつきが生じてしまうため、この影響を避けるためには、抵抗Ｒを増加させなければならなかった。
【０００４】
ＰＷＭ調光方式は、パルス波によってＬＥＤ電流を制御するためにノイズが発生し易く、ＰＷＭ周波数によっては周囲の回路部と干渉を引き起こすことがある。また、ＰＷＭ調光ではＬＥＤ点灯・消灯のデューティ比により平均電流を制御しているため、ＬＥＤ点灯時のＬＥＤ電流は、ＤＣ調光時に比べて大きくなってしまう。ＬＥＤの順方向電圧は、ＬＥＤ電流に応じて大きくなるので、ＬＥＤを駆動するための電圧も高くする必要があり、したがって効率が低下してしまう。
【特許文献１】特開２００２−３５９０９０号公報
【特許文献２】特開２００４−０２２６４６号公報
【発明の開示】
【発明が解決しようとする課題】
【０００５】
本発明は、以上のような問題を解決するためになされたものであり、調光によるノイズの影響を少なくし、ＬＥＤ電流のばらつきを抑えることが出来るＬＥＤ駆動回路を提供する。
【課題を解決するための手段】
【０００６】
本発明のＬＥＤ駆動回路の一態様は、調光電圧を生成すると共に、デューティ比制御を行う調光制御部と、駆動するＬＥＤに一端が接続されたＭＯＳトランジスタと、前記トランジスタの他端と接地間に接続される抵抗と、前記トランジスタの他端と前記抵抗との接続点の電圧と前記調光電圧との差信号を増幅して前記トランジスタの制御端に供給する差動増幅器とを具備し、前記調光制御部は、ＬＥＤ電流設定データに応じた前記デューティ比情報を作成し、前記デューティ比情報に応じて前記トランジスタの制御端への前記差動増幅器の出力電圧の供給を制御し、前記ＬＥＤ電流設定データに基づく電圧を前記差動増幅器に供給し、前記ＬＥＤ電流設定データが所定の値を上回る時、前記調光制御部は、前記ＬＥＤ電流設定データに基づく電圧を前記差動増幅器に供給すると共に前記トランジスタを常にオン状態にし、前記ＬＥＤ電流設定データが所定の値を下回る時、ＬＥＤ電流設定データに基づく電圧を前記差動増幅器に供給すると共に前記デューティ比情報に基づいて前記トランジスタの制御端への前記差動増幅器の出力電圧の供給を制御することを特徴としている。前記ＬＥＤにはチャージポンプが接続され、当該チャージポンプによって、前記ＬＥＤに供給される電圧は、所定の値に昇圧されるようにしても良い。前記調光制御部には、照度センサが付加され、前記調光制御部は当該照度センサが検出する照度に応じた電圧を出力するようにしても良い。
【発明の効果】
【０００７】
本発明は、以上のような問題を解決するためになされたものであり、調光によるノイズの影響を少なくし、ＬＥＤ電流のばらつきを抑えることが出来るＬＥＤ駆動回路を提供する。
【発明を実施するための最良の形態】
【０００８】
本発明は、ＬＥＤ電流設定データが所定の値を上回るときは、調光制御部においてＬＥＤ電流がＬＥＤ電流設定データで設定された電流となるように差動増幅器に調光電圧を供給することによりＤＣ調光を行い、調光制御部に供給される信号が所定の値を下回るときは、差動増幅器に供給する電圧を固定し、デューティ比情報に基づいて差動増幅器の動作をオンオフ制御することによりＰＷＭ調光を行うことを特徴とする。
以下、実施例を参照して発明の実施の形態を説明する。
【実施例１】
【０００９】
図１乃至図９を参照して実施例１を説明する。
図１乃至図３は、この実施例を説明するＬＥＤ駆動回路の概略図、図４は、白色ＬＥＤの特性を示す特性図、図５は、この実施例で説明する白色ＬＥＤのＰＷＭ調光方法を説明する概略回路図及び電流波形図、図６は、この実施例で説明する白色ＬＥＤのＤＣ調光方法を説明する概略回路図、図７は、この実施例で説明する白色ＬＥＤのＤＣ及びＰＷＭ調光方法を説明する概略回路図、図８は、ＬＥＤ電流制御回路におけるオフセット電圧を説明する回路図、図９は、ＤＣ及びＰＷＭ調光それぞれにおけるＬＥＤ入力電流と電源電圧との関係を説明する特性図である。
図１に示すように、ＬＥＤ駆動回路は、調光電圧を生成すると共に、デューティ比制御を行う調光制御部１と、駆動する白色ＬＥＤ３に一端が接続されたＭＯＳトランジスタ２２と、トランジスタ２２の他端と接地（ＧＮＤ）間に接続された抵抗（Ｒ）２３と、トランジスタ２２の他端と抵抗２３との接続点の電圧と前記調光電圧との差信号を増幅してトランジスタ２２の制御端（ゲート）に供給する差動増幅器２１とを具備する。調光制御部１は、ＬＥＤ電流設定データ（すなわち調光データともいう）４に応じたデューティ比情報を作成し、このデューティ比情報に応じてＭＯＳトランジスタ２２の制御端への電圧の供給を制御し、ＬＥＤ電流設定データ４に基づく電圧を差動増幅器２１に供給する。
【００１０】
ＬＥＤ電流設定データ４が所定の値を上回るときは、調光制御部１においてＬＥＤ電流がＬＥＤ電流設定データ４で設定された電流となるように差動増幅器２１に調光電圧を供給する。これによりＤＣ調光が行われる（図２参照）。この時、ＰＷＭ信号は、デューティ比を（オフ状態のない）１００％にして、ＭＯＳトランジスタ２２の制御端への差動増幅器２１出力の供給を制御する。
一方、調光制御部１に供給されるＬＥＤ電流設定データ４が所定の値を下回るときは、差動増幅器２１に供給する電圧を固定し、デューティ比情報に基づいて差動増幅器２１の出力電圧のＭＯＳトランジスタ２２の制御端への印加動作をオンオフ制御することによりＰＷＭ調光を行う（図３参照）。デューティ比は、ＬＥＤ電流設定データ４により定める。
白色ＬＥＤは、ＬＥＤ電流を増加させると、順方向電圧も増加する（図４参照）。また、ＬＥＤ電流の大きさにより発光の色が変化する。例えば、ＬＥＤ順電流が１−１００ｍＡの場合には白色が発光される。この範囲から外れると、例えば、緑、黄、赤、青などに変色する。
【００１１】
この実施例で行われるＤＣ調光方法において、電源（図示しない）からの出力（ＶＣＰ）が白色ＬＥＤ３の一端に接続され、他端にＬＥＤ電流制御回路２を構成するｎチャネルＭＯＳトランジスタ２２のドレインが接続されている。ＭＯＳトランジスタ２２のソース側には、一端が接地（ＧＮＤ）された抵抗２３が接続されている。即ち、ＭＯＳトランジスタ２２が出力段のＬＥＤ電流制御回路２を、白色ＬＥＤ３と直列に配置して昇圧回路の負荷として白色ＬＥＤを定電流駆動する。この構成により電磁ノイズを発生することなく、白色ＬＥＤの端子間電圧をそのダイオード特性に従って実質的に一定に保持することができる。
【００１２】
図６は、この実施例における白色ＬＥＤ駆動回路のＤＣ調光方法を説明する概略回路図である。白色ＬＥＤ３の一端が電源（図示しない）に接続され、白色ＬＥＤ３の下流にＬＥＤ電流制御回路２が設けられている。このＬＥＤ電流制御回路２により白色ＬＥＤ３の駆動電流（例えば、１０ｍＡ）を接地（ＧＮＤ）へと定電流でシンクさせる。
ＬＥＤ電流制御回路２は、調光制御部１を構成するデジタルアナログ変換器（ＤＡＣ）１１からの信号により制御される。ＬＥＤ電流制御回路２は、差動増幅回路２１、出力段としてｎチャネルＭＯＳトランジスタ２２及びＭＯＳトランジスタ２２のソース側と接地（ＧＮＤ）との間に接続された駆動電流検出用の抵抗（Ｒ）２３を含んでいる。差動増幅回路２１の（＋）入力は、調光制御部１からの電圧を受け、（−）入力は、ＭＯＳトランジスタ２２のソース側に接続され、差動増幅回路２１の出力端子がＭＯＳトランジスタ２２のゲートに接続されている。ＭＯＳトランジスタ２２のソース側は、抵抗（Ｒ）２３を介して接地されている。
【００１３】
白色ＬＥＤ３を定電流駆動する出力段のＭＯＳトランジスタ２２のドレインは、白色ＬＥＤ３に接続され、ＭＯＳトランジスタ２２は、白色ＬＥＤ３に流れた駆動電流を受けて、そのソース、抵抗２３を介して接地（ＧＮＤ）へとシンクさせる。このとき流れる駆動電流は、それにより発生する抵抗２３の端子電圧が調光制御部１により設定された電圧に一致するように制御されて定電流となる。その定電流値は、調光制御部１の電圧により決定され、調光制御部１の電圧を外部からＬＥＤ電流設定データ４に応じて直接あるいはコントローラを介して制御信号により設定することによって駆動電流の調整ができる。これにより輝度調整ができる。デジタルアナログ変換器（ＤＡＣ）１１と差動増幅回路２１の（＋）入力との間には、回路間に挿入されるバッファ増幅器７及び減衰器（ＡＴＴ）８が直列に接続されているが、図６に表現されるＤＣ的にＬＥＤ電流を制御する回路構成とは直接的には関わりがなく省略することができる。
【００１４】
次に、図３及び図５を参照してこの実施例で用いるＰＷＭ調光方式を説明する。ＰＷＭ調光は、点灯時のＬＥＤ電流を固定し、点灯・消灯の比率で平均電流ＩAVE を調整する。図５に示す電流波形のように、点灯時の電流ＩMAX は、２０ｍＡであり、消灯時は、０ｍＡである。そして、点灯時間Ｔon及び消灯時間Ｔoff の比であるデューティ比は、１００・Ｔon／（Ｔon＋Ｔoff ）％で表され、この実施例におけるデューティ比は、５０％であり、平均電流は、１０ｍＡである。
周囲の明るさを照度センサ６が感知すると、周囲の明るさに応じた電流が照度センサ６から出力される。この出力信号がＡ／Ｄコンバータ（アナログ−デジタル変換器）９に入力され、デジタル信号として出力される。デジタル信号は、論理回路（Ｌｏｇｉｃ）５へ入力され、携帯電話などの液晶情報（ＬＣＤデータ）に基づいて、Ａ／Ｄコンバータ９で変換されたデジタル値に応じたパルス幅のパルス信号（ＰＷＭ）を発生させる。即ち、論理回路５は、ＰＷＭ信号発生回路として機能する。このＰＷＭ信号（ＰＷＭＯＵＴ）は、ＬＥＤ駆動電流を制御する調光データとして、白色ＬＥＤ３を駆動する出力段のＭＯＳトランジスタ２２のゲートへの差動増幅器２１出力の供給を制御する。論理回路５とＭＯＳトランジスタ２２のゲートとの間にスイッチを挿入してＰＷＭ信号の入力を制御することも可能である。
【００１５】
論理回路５は、図３に示すデューティ制御部１２を有し、検出された照度レベルに応じて生成された所定のデューティ比（時比率）のＰＷＭ信号を生成し、この所定のデューティ比に基づいて差動増幅器２１の出力電圧のＭＯＳトランジスタ２２のゲートへの印加動作をオンオフ制御することで、ＰＷＭ調光を行い、白色ＬＥＤ３が駆動される。
以上のように、調光制御部１で制御されたＬＥＤ電流制御回路２は、周囲の明るさに応じて白色ＬＥＤ３を駆動するので、例えば、携帯電話の液晶パネルのバックライトとして好適となる。ＬＥＤ電流制御回路２は、調光制御部１と共に１チップで構成でき、外部接続部品は、照度センサ６、白色ＬＥＤ３と少ない。白色ＬＥＤ３を流れる電流は、ＰＷＭ信号のデューティ（Duty）比にほぼ比例し、白色ＬＥＤ３の平均電流ＩAVE は、白色ＬＥＤ３に流れる最大電流ＩMAX ×デューティ比／１００で表される。また、点灯・消灯のデューティ比を調整して平均電流ＩAVE を制御する。
【００１６】
次に、図７を参照して、この実施例の白色ＬＥＤのＤＣ調光方法及びＰＷＭ調光方法を併用する調光方法を説明する。
ＬＥＤ電流をＤＣ的に制御するＤＣ調光は、ＬＥＤ電流に応じたチャージポンプ昇圧モードが選択されるので効率が良い、ＤＣ（直流）でＬＥＤ電流を流しているので液晶（ＬＣＤ）駆動周期との干渉がない、調光によるノイズ発生がない等の利点がある。しかし、ＬＥＤ電流の変化に伴って、色の変化が起こることがある。また、微小電流駆動時に、ＬＥＤ電流制御回路を構成する差動増幅器２１のオフセット電圧により電流値がばらつくことがある。
図８に示すように、ＬＥＤ電流（ＩLED ）は、Ｒef／Ｒで表わされる。Ｒefは、差動増幅器２１の入力電圧であり、Ｒは、抵抗２３である。ＬＥＤ電流（ＩLED ）を調整するには、抵抗２３を固定し、Ｒefを変化させる。ＬＥＤ電流を低下させるためにＲefを下げていくと、差動増幅器２３に生ずるオフセット電圧（Ｖoff ）による影響によってＬＥＤ電流がばらついてしまう。このようなバラツキをなくすために、従来では低電流時には抵抗２３を切り替えることにより対応している。
【００１７】
一方、ＰＷＭ調光では、点灯時のＬＥＤ電流は変化しないため色変化はない。また、点灯時の電流でチャンネル間のばらつきを合せ込めばデューティ比を変化させてもばらつきは変化しない。また、微小電流領域での調光が可能である。しかし、調光によるノイズの発生があり、また、点灯時のＬＥＤ電流の順方向電圧によりチャージポンプ昇圧モードがきまるので、平均電流が低い場合でも×１．５、×２モードで動作する場合があり効率が悪い。ＰＷＭ周波数によっては液晶駆動周期と干渉してしまうことがある。
【００１８】
この実施例では前述したＤＣ調光及びＰＷＭ調光のそれぞれのデメリットを改善した新しい白色ＬＥＤの調光方法を提供するものであって、ＬＥＤ電流が大きい場合にはＤＣ調光によりＬＥＤ電流を制御し、ＬＥＤ電流が小さい場合にはＰＷＭ調光により制御することを特徴としている。ＤＣ調光及びＰＷＭ調光の利点を合わせるように構成されているので、効率のよいＬＥＤ電流制御が出来る。
ＬＥＤ電流を２５６階調で制御する場合、大きいＬＥＤ電流の１６進数ＦＦｈ（２５５）〜２０ｈ（３２）までは、ＤＣ調光で制御する。例えば、白色ＬＥＤの最大電流を２５ｍＡとした場合に２５ｍＡ〜３．１４ｍＡがＤＣ調光で制御される。そして、小さいＬＥＤ電流の１Ｆｈ以下のデータは、２０ｈでの電流を基にＰＷＭ調光で制御する。調光方法による入力電流を比較すると、ＬＥＤ電流を低く設定するほど、ＤＣ調光方法とＰＷＭ調光方法とで異なる入力電流値によって動作する電源電圧（ＶIN）の範囲が広くなる。図９は、ＤＣ及びＰＷＭ調光それぞれにおけるＬＥＤ入力電流と電源電圧との関係を示しており、図９（ａ）は各ＬＥＤの平均電流が５ｍＡの場合の特性図であり、図９（ｂ）は各ＬＥＤの平均電流が１ｍＡの場合である。平均電流が５ｍＡのときに、２つの調光方法による電源電圧の差が発生する範囲は、約３．３０〜３．７０Ｖであるが、平均電流が１ｍＡのときには、この範囲は、約３．００〜３．７０Ｖである（ＰＭＷ調光が、×１．５昇圧モードで動作する区間の電源電圧を例とし、その区間内のＤＣ調光とＰＷＭ調光とを比較した場合）。
【００１９】
図７に示すように、周囲の明るさに応じて照度センサ６から出力された信号がＡ／Ｄコンバータ９に入力され、デジタル信号として出力される。デジタル信号は、論理回路５へ入力され、携帯電話などの液晶情報（ＬＣＤデータ）に基づいて、Ａ／Ｄコンバータ９で変換されたデジタル値に応じたパルス幅のパルス信号をＬＥＤ電流設定電流データである調光データ（ＰＷＭ）１３として発生する。もしくは調光制御部１を構成するデジタルアナログ変換器（ＤＡＣ）１１へ供給されるＬＥＤ電流設定電流データである調光データ（８ｂｉｔ）１４が発生する。調光データ（ＰＷＭ）１３は、ＭＯＳトランジスタ２２のゲートに供給され、白色ＬＥＤ３をＰＷＭ調光により制御する。調光データ（８ｂｉｔ）１４は、ＤＡＣ１１へ供給され、白色ＬＥＤ３をＤＣ調光により制御する。
このように、ＤＣ調光及びＰＷＭ調光を併用することにより、ＤＣ調光による色変化が存在するもののＤＣ調光の高効率とＰＷＭ調光の低電流時での電流ばらつきの少ない特徴を合わせ持つことが出来る。
【実施例２】
【００２０】
次に、図１０及び図１１を参照して実施例２を説明する。
図１０は、この実施例を説明するＬＥＤ駆動回路の概略図、図１１は、チャージポンプの昇圧比特性を示す特性図である。このＬＥＤ駆動回路は、調光制御部２６及びＬＥＤ電流制御回路２７を備え、ＬＥＤ駆動回路は、調光制御部２６において生成された信号に基づいて操作されて白色ＬＥＤ２８を駆動する。白色ＬＥＤ２８は、リチウム電池などの電源２９に接続され、その間に昇圧回路（ＣＰ（チャージポンプ））２５が挿入されている。昇圧回路２５と白色ＬＥＤ２８との間には一端が接地（ＧＮＤ）されたコンデンサＣが挿入されている。調光制御部２６は、ＬＥＤ電流設定データに基づいてＤＣ調光を制御する信号をＬＥＤ電流制御回路２７に供給する。ＬＥＤ電流制御回路２７は、差動増幅回路２１、出力段としてｎチャネルＭＯＳトランジスタ２２及びＭＯＳトランジスタ２２のソース側と接地（ＧＮＤ）との間に接続された駆動電流検出用の抵抗（Ｒ）２３を含んでいる。差動増幅回路２１の（＋）入力は、調光制御部２６からの信号を受け、（−）入力は、ＭＯＳトランジスタ２２のソース側に接続され、差動増幅回路２１の出力端子がＭＯＳトランジスタ２２のゲートに接続されている。
【００２１】
電源２９の電圧をＶs とすると、例えばＶs が昇圧回路（ＣＰ）２５によって１．５倍に昇圧されると、コンデンサＣには、１．５Ｖs の電圧が発生し、その電力（Ｖcp）が白色ＬＥＤに供給される。こうして昇圧された１．５Ｖs （＝Ｖcp）の電力は、ＬＥＤ電流制御回路２７により定電流に調整されて白色ＬＥＤ２８に流れる。
昇圧回路を構成するチャージポンプ（ＣＰ）は、ＬＥＤ電流により順方向電圧ＶＦが変化するため、ＬＥＤ電流が多いほど昇圧比が上がる電源電圧が高くなる（図１１参照）。
このように、この実施例では、ＤＣ調光及びＰＷＭ調光を併用することにより、ＤＣ調光による色変化が存在するもののＤＣ調光の高効率とＰＷＭ調光の低電流時での電流ばらつきの少ない特徴を合わせ持つＬＥＤ駆動回路が得られる。
また、ＰＷＭ調光時において、点灯時のＬＥＤ電流は、固定されているため、このＬＥＤ電流でのＶＦにより昇圧比の変化点が決まる（図１１参照）。つまり、白色ＬＥＤの平均電流にかかわらず、昇圧比の変化点が決まる。ＤＣ調光時において、点灯時のＬＥＤ電流が調整されるため、電流により変化したＶＦで昇圧比の変化点が決まる。
【図面の簡単な説明】
【００２２】
【図１】実施例１を説明するＬＥＤ駆動回路の概略図。
【図２】実施例１を説明するＬＥＤ駆動回路の概略図。
【図３】実施例１を説明するＬＥＤ駆動回路の概略図。
【図４】白色ＬＥＤの特性を示す特性図。
【図５】実施例１で説明する白色ＬＥＤのＰＷＭ調光方法を説明する概略回路図及び電流波形図。
【図６】実施例１で説明する白色ＬＥＤのＤＣ調光方法を説明する概略回路図。
【図７】実施例１で説明する白色ＬＥＤのＤＣ及びＰＷＭ調光方法を説明する概略回路図。
【図８】ＬＥＤ電流制御回路におけるオフセット電圧を説明する回路図。
【図９】ＤＣ及びＰＷＭ調光それぞれにおけるＬＥＤ入力電流と電源電圧との関係を説明する特性図。
【図１０】実施例２を説明するＬＥＤ駆動回路の概略図。
【図１１】チャージポンプの昇圧比特性を示す特性図。
【符号の説明】
【００２３】
１、２６・・・調光制御部
２、２７・・・ＬＥＤ電流制御回路
３、２８・・・白色ＬＥＤ
４・・・ＬＥＤ電流設定データ
５・・・論理回路（Ｌｏｇｉｃ）
６・・・照度センサ
７・・・バッファ増幅器
８・・・減衰器（ＡＴＴ）
９・・・ＡＤコンバータ
１１・・・デジタルアナログ変換器（ＤＡＣ）
１２・・・デューティ制御部
１３、１４・・・調光データ
２１・・・差動増幅器
２２・・・ＭＯＳトランジスタ
２３・・・抵抗
２５・・・チャージポンプ（ＣＰ）
２９・・・電源
【図１】
0004938601.tif 000002
【図２】
0004938601.tif 000003
【図３】
0004938601.tif 000004
【図４】
0004938601.tif 000005
【図５】
0004938601.tif 000006
【図６】
0004938601.tif 000007
【図７】
0004938601.tif 000008
【図８】
0004938601.tif 000009
【図９】
0004938601.tif 000010
【図１０】
0004938601.tif 000011
【図１１】
0004938601.tif 000012